(57)【特許請求の範囲】
【請求項１】
ワイヤレス通信のための方法において、
信号を受信することと、
前記受信した信号に基づいて、多重化モードを決定することと、
前記受信した信号に基づいて、データの送信に対して使用することになる、１つ以上の搬送波を含む第１の組の搬送波を識別することと、
前記受信した信号に基づいて、制御信号の送信に対して使用することになる、１つ以上の搬送波を含む第２の組の搬送波を識別することと、
前記多重化モードに基づいて、前記識別した第１の組の搬送波上と前記識別した第２の組の搬送波上で、１つ以上のデータ信号と１つ以上の制御信号とを送信することとを含み、
前記多重化モードは、データ信号および制御信号がデカップリングされる第１のモードまたはデータ信号および制御信号が多重化される第２のモードのうちの１つを含む方法。
【請求項２】
前記受信した信号に基づいて、前記制御信号の送信に対して使用する１つ以上のリソースエレメントを識別することと、
前記識別したリソースエレメント上で、前記制御信号を送信することとをさらに含む請求項１記載の方法。
【請求項３】
前記信号は、ダウンリンク制御情報（ＤＣＩ）メッセージを含む請求項１記載の方法。
【請求項４】
無線リソース制御（ＲＲＣ）レイヤから、前記信号を受信する請求項１記載の方法。
【請求項５】
前記多重化モードは、前記データ信号および前記制御信号の同時送信を含む請求項１記載の方法。
【請求項６】
前記データ信号および前記制御信号は、共通の離散フーリエ変換（ＤＦＴ）拡散で拡散されない請求項５記載の方法。
【請求項７】
前記第２の組の搬送波は、前記第１の組の搬送波の部分集合である請求項１記載の方法。
【請求項８】
前記第１の組の搬送波は、単一の搬送波を含む請求項１記載の方法。
【請求項９】
前記制御信号を前記データ信号中に多重化し、前記第１の組の搬送波中の搬送波上で送信する請求項８記載の方法。
【請求項１０】
前記第１の組の搬送波と前記第２の組の搬送波は、１つ以上の共通の搬送波を含んでいる請求項１記載の方法。
【請求項１１】
ワイヤレス通信のための方法において、
ユーザ機器（ＵＥ）によるデータまたは制御の送信に対して使用する、多重化モードとリソースエレメントの数とを決定することと、
少なくとも前記多重化モードを示す信号を前記ＵＥに対して送信することと、
前記多重化モードを利用して、前記ＵＥから、１つ以上の制御信号と１つ以上のデータ信号とを受信することとを含み、
前記多重化モードは、データ信号および制御信号がデカップリングされる第１のモードまたはデータ信号および制御信号が多重化される第２のモードのうちの１つを含む方法。
【請求項１２】
前記少なくとも前記多重化モードを示す信号は、ダウンリンク制御情報メッセージを含む請求項１１記載の方法。
【請求項１３】
前記多重化モードは、前記データ信号および前記制御信号の同時送信を含む請求項１１記載の方法。
【請求項１４】
ワイヤレス通信のための装置において、
信号を受信する手段と、
前記受信した信号に基づいて、多重化モードを決定する手段と、
前記受信した信号に基づいて、データの送信に対して使用することになる、１つ以上の搬送波を含む第１の組の搬送波を識別する手段と、
前記受信した信号に基づいて、制御信号の送信に対して使用することになる、１つ以上の搬送波を含む第２の組の搬送波を識別する手段と、
前記多重化モードに基づいて、前記識別した第１の組の搬送波上と前記識別した第２の組の搬送波上で、１つ以上のデータ信号と１つ以上の制御信号とを送信する手段とを具備し、
前記多重化モードは、データ信号および制御信号がデカップリングされる第１のモードまたはデータ信号および制御信号が多重化される第２のモードのうちの１つを含む装置。
【請求項１５】
前記受信した信号に基づいて、前記制御信号の送信に対して使用する１つ以上のリソースエレメントを識別する手段と、
前記識別したリソースエレメント上で、前記制御信号を送信する手段とをさらに具備する請求項１４記載の装置。
【請求項１６】
前記信号は、ダウンリンク制御情報（ＤＣＩ）メッセージを含む請求項１４記載の装置。
【請求項１７】
無線リソース制御（ＲＲＣ）レイヤから、前記信号を受信する請求項１４記載の装置。
【請求項１８】
前記多重化モードは、前記データ信号および前記制御信号の同時送信を含む請求項１４記載の装置。
【請求項１９】
前記データ信号および前記制御信号は、共通の離散フーリエ変換（ＤＦＴ）拡散で拡散されない請求項１８記載の装置。
【請求項２０】
前記第２の組の搬送波は、前記第１の組の搬送波の部分集合である請求項１４記載の装置。
【請求項２１】
前記第１の組の搬送波は、単一の搬送波を含む請求項１４記載の装置。
【請求項２２】
前記制御信号を前記データ信号中に多重化し、前記第１の組の搬送波中の搬送波上で送信する請求項２１記載の装置。
【請求項２３】
前記第１の組の搬送波と前記第２の組の搬送波は、１つ以上の共通の搬送波を含んでいる請求項１４記載の装置。
【請求項２４】
ワイヤレス通信のための装置において、
ユーザ機器（ＵＥ）によるデータまたは制御の送信に対して使用する、多重化モードとリソースエレメントの数とを決定する手段と、
少なくとも前記多重化モードを示す信号を前記ＵＥに対して送信する手段と、
前記多重化モードを利用して、前記ＵＥから、１つ以上の制御信号と１つ以上のデータ信号とを受信する手段とを具備し、
前記多重化モードは、データ信号および制御信号がデカップリングされる第１のモードまたはデータ信号および制御信号が多重化される第２のモードのうちの１つを含む装置。
【請求項２５】
前記少なくとも前記多重化モードを示す信号は、ダウンリンク制御情報メッセージを含む請求項２４記載の装置。
【請求項２６】
前記多重化モードは、前記データ信号および前記制御信号の同時送信を含む請求項２４記載の装置。
【請求項２７】
その上に命令を記憶させている、ワイヤレス通信のためのコンピュータ読取可能記憶媒体において、
前記命令は、１つ以上のプロセッサにより実行可能であり、
前記命令は、
信号を受信するための命令と、
前記受信した信号に基づいて、多重化モードを決定するための命令と、
前記受信した信号に基づいて、データの送信に対して使用することになる、１つ以上の搬送波を含む第１の組の搬送波を識別するための命令と、
前記受信した信号に基づいて、制御信号の送信に対して使用することになる、１つ以上の搬送波を含む第２の組の搬送波を識別するための命令と、
前記多重化モードに基づいて、前記識別した第１の組の搬送波上と前記識別した第２の組の搬送波上で、１つ以上のデータ信号と１つ以上の制御信号とを送信するための命令とを含み、
前記多重化モードは、データ信号および制御信号がデカップリングされる第１のモードまたはデータ信号および制御信号が多重化される第２のモードのうちの１つを含むコンピュータ読取可能記憶媒体。
【請求項２８】
その上に命令を記憶させている、ワイヤレス通信のためのコンピュータ読取可能記憶媒体において、
前記命令は、１つ以上のプロセッサにより実行可能であり、
前記命令は、
ユーザ機器（ＵＥ）によるデータまたは制御の送信に対して使用する、多重化モードとリソースエレメントの数とを決定するための命令と、
少なくとも前記多重化モードを示す信号を前記ＵＥに対して送信するための命令と、
前記多重化モードを利用して、前記ＵＥから、１つ以上の制御信号と１つ以上のデータ信号とを受信するための命令とを含み、
前記多重化モードは、データ信号および制御信号がデカップリングされる第１のモードまたはデータ信号および制御信号が多重化される第２のモードのうちの１つを含むコンピュータ読取可能記憶媒体。
【請求項２９】
ワイヤレス通信のための装置において、
信号を受信するようにと、
前記受信した信号に基づいて、多重化モードを決定するようにと、
前記受信した信号に基づいて、データの送信に対して使用することになる、１つ以上の搬送波を含む第１の組の搬送波を識別するようにと、
前記受信した信号に基づいて、制御信号の送信に対して使用することになる、１つ以上の搬送波を含む第２の組の搬送波を識別するようにと、
前記多重化モードに基づいて、前記識別した第１の組の搬送波上と前記識別した第２の組の搬送波上で、１つ以上のデータ信号と１つ以上の制御信号とを送信するように構成されている少なくとも１つのプロセッサを具備し、
前記多重化モードは、データ信号および制御信号がデカップリングされる第１のモードまたはデータ信号および制御信号が多重化される第２のモードのうちの１つを含む装置。
【請求項３０】
ワイヤレス通信のための装置において、
ユーザ機器（ＵＥ）によるデータまたは制御の送信に対して使用する、多重化モードとリソースエレメントの数とを決定するようにと、
少なくとも前記多重化モードを示す信号を前記ＵＥに対して送信するようにと、
前記多重化モードを利用して、前記ＵＥから、１つ以上の制御信号と１つ以上のデータ信号とを受信するように構成されている少なくとも１つのプロセッサを具備し、
前記多重化モードは、データ信号および制御信号がデカップリングされる第１のモードまたはデータ信号および制御信号が多重化される第２のモードのうちの１つを含む装置。
【発明の詳細な説明】
【米国特許法第１１９条の下での優先権の主張】
【０００１】
本特許出願は、“柔軟なデータ制御および多重化”と題する、２００９年２月２４日に出願された、米国仮特許出願シリアル番号第６１／１５５，０６４号の利益を主張し、この出願は、その譲受人に譲渡され、ここに参照により明示的に組み込まれている。
【０００２】
技術分野
本開示のある態様は、一般的に、ワイヤレス通信に関し、さらに詳細には、制御およびデータの送信のためのシステムならびに方法に関する。
【０００３】
背景
ワイヤレス通信システムは、さまざまなタイプの通信を提供するために、幅広く展開されている；例えば、このようなワイヤレス通信システムを通して、音声および／またはデータを提供することができる。典型的なワイヤレス通信のシステムまたはネットワークは、１つ以上の共有リソース（例えば、帯域幅、送信電力等）へのアクセスを、複数のユーザに提供することができる。例えば、システムは、周波数分割多重化（ＦＤＭ）と、時分割多重化（ＴＤＭ）と、コード分割多重化（ＣＤＭ）と、直交周波数分割多重化（ＯＦＤＭ）と、他のもののような、さまざまな多元接続技術を使用することができる。
【０００４】
一般的に、ワイヤレス多元接続通信システムは、複数の移動体デバイスに対する通信を同時にサポートすることができる。各移動体デバイスは、フォワードリンク上およびリバースリンク上の送信を通して、１つ以上の基地局と通信することができる。フォワードリンク（または、ダウンリンク）は、基地局から移動体デバイスへの通信リンクのことを指し、リバースリンク（または、アップリンク）は、移動体デバイスから基地局への通信リンクのことを指す。ネットワークカバレッジおよびサービス品質の最適化は、ワイヤレスネットワークオペレータにとって不変の目標である。
【概要】
【０００５】
本開示のある態様は、ワイヤレス通信のための方法を提供する。方法は、一般的に、信号を受信することと、受信した信号に基づいて、多重化モードを決定することと、受信した信号に基づいて、データの送信に対して使用することになる、１つ以上の搬送波を含む第１の組の搬送波を識別することと、受信した信号に基づいて、制御信号の送信に対して使用することになる、１つ以上の搬送波を含む第２の組の搬送波を識別することと、多重化モードに基づいて、識別した第１の組の搬送波上と識別した第２の組の搬送波上で、１つ以上のデータ信号と１つ以上の制御信号とを送信することとを含む。
【０００６】
本開示のある態様は、ワイヤレス通信のための方法を提供する。方法は、一般的に、ユーザ機器（ＵＥ）によるデータまたは制御の送信に対して使用する、多重化モードとリソースエレメントの数とを決定することと、少なくとも多重化モードを示す信号をＵＥに対して送信することと、多重化モードを利用して、ＵＥから、１つ以上の制御信号と１つ以上のデータ信号とを受信することとを含む。
【０００７】
本開示のある態様は、ワイヤレス通信のための装置を提供する。装置は、一般的に、信号を受信する論理と、受信した信号に基づいて、多重化モードを決定する論理と、受信した信号に基づいて、データの送信に対して使用することになる、１つ以上の搬送波を含む第１の組の搬送波を識別する論理と、受信した信号に基づいて、制御信号の送信に対して使用することになる、１つ以上の搬送波を含む第２の組の搬送波を識別する論理と、多重化モードに基づいて、識別した第１の組の搬送波上と識別した第２の組の搬送波上で、１つ以上のデータ信号と１つ以上の制御信号とを送信する論理とを具備する。
【０００８】
本開示のある態様は、ワイヤレス通信のための装置を提供する。装置は、一般的に、ユーザ機器（ＵＥ）によるデータまたは制御の送信に対して使用する、多重化モードとリソースエレメントの数とを決定する論理と、少なくとも多重化モードを示す信号をＵＥに対して送信する論理と、多重化モードを利用して、ＵＥから、１つ以上の制御信号と１つ以上のデータ信号とを受信する論理とを具備する。
【０００９】
本開示のある態様は、ワイヤレス通信のための装置を提供する。装置は、一般的に、信号を受信する手段と、受信した信号に基づいて、多重化モードを決定する手段と、受信した信号に基づいて、データの送信に対して使用することになる、１つ以上の搬送波を含む第１の組の搬送波を識別する手段と、受信した信号に基づいて、制御信号の送信に対して使用することになる、１つ以上の搬送波を含む第２の組の搬送波を識別する手段と、多重化モードに基づいて、識別した第１の組の搬送波上と識別した第２の組の搬送波上で、１つ以上のデータ信号と１つ以上の制御信号とを送信する手段とを具備する。
【００１０】
本開示のある態様は、ワイヤレス通信のための装置を提供する。装置は、一般的に、ユーザ機器（ＵＥ）によるデータまたは制御の送信に対して使用する、多重化モードとリソースエレメントの数とを決定する手段と、少なくとも多重化モードを示す信号をＵＥに対して送信する手段と、多重化モードを利用して、ＵＥから、１つ以上の制御信号と１つ以上のデータ信号とを受信する手段とを具備する。
【００１１】
ある態様は、その上に命令を記憶させているコンピュータ読取可能媒体を具備する、ワイヤレス通信のためのコンピュータプログラムプロダクトを提供する。命令は、１つ以上のプロセッサにより実行可能である。命令は、一般的に、信号を受信するための命令と、受信した信号に基づいて、多重化モードを決定するための命令と、受信した信号に基づいて、データの送信に対して使用することになる、１つ以上の搬送波を含む第１の組の搬送波を識別するための命令と、受信した信号に基づいて、制御信号の送信に対して使用することになる、１つ以上の搬送波を含む第２の組の搬送波を識別するための命令と、多重化モードに基づいて、識別した第１の組の搬送波上と識別した第２の組の搬送波上で、１つ以上のデータ信号と１つ以上の制御信号とを送信するための命令とを含む。
【００１２】
ある態様は、その上に命令を記憶させているコンピュータ読取可能媒体を具備する、ワイヤレス通信のためのコンピュータプログラムプロダクトを提供する。命令は、１つ以上のプロセッサにより実行可能である。命令は、一般的に、ユーザ機器（ＵＥ）によるデータまたは制御の送信に対して使用する、多重化モードとリソースエレメントの数とを決定するための命令と、少なくとも多重化モードを示す信号をＵＥに対して送信するための命令と、多重化モードを利用して、ＵＥから、１つ以上の制御信号と１つ以上のデータ信号とを受信するための命令とを含む。
【００１３】
本開示のある態様は、ワイヤレス通信のための装置を提供する。装置は、一般的に、信号を受信するようにと、受信した信号に基づいて、多重化モードを決定するようにと、受信した信号に基づいて、データの送信に対して使用することになる、１つ以上の搬送波を含む第１の組の搬送波を識別するようにと、受信した信号に基づいて、制御信号の送信に対して使用することになる、１つ以上の搬送波を含む第２の組の搬送波を識別するようにと、多重化モードに基づいて、識別した第１の組の搬送波上と識別した第２の組の搬送波上で、１つ以上のデータ信号と１つ以上の制御信号とを送信するように構成されている少なくとも１つのプロセッサを具備する。
【００１４】
本開示のある態様は、ワイヤレス通信のための装置を提供する。装置は、一般的に、ユーザ機器（ＵＥ）によるデータまたは制御の送信に対して使用する、多重化モードとリソースエレメントの数とを決定するようにと、少なくとも多重化モードを示す信号をＵＥに対して送信するようにと、多重化モードを利用して、ＵＥから、１つ以上の制御信号と１つ以上のデータ信号とを受信するように構成されている少なくとも１つのプロセッサを具備する。
【図面の簡単な説明】
【００１５】
本開示の上記に記載した特徴を詳細に理解できる方法で、上記では簡単にまとめられているさらに特定の説明を、態様に対する参照により得ることができるように、態様のうちのいくつかを、添付した図面中で示している。しかしながら、添付した図面は、本開示のある典型的な態様のみを示しており、それゆえ、その範囲を限定するものとして考えられるものではないことに留意すべきである。説明は、他の等しく有効な態様に適応できる余地があるためである。
【図１】図１は、本開示のある態様にしたがった、多元接続ワイヤレス通信システムを示している。
【図２】図２は、本開示のある態様にしたがった、通信システムのブロックダイヤグラムを示している。
【図３】図３は、本開示のある態様にしたがった、例示的なワイヤレス通信システムを示している。
【図４】図４は、本開示のある態様にしたがった、データおよび制御の送信に対して使用される例示的なコンポーネント搬送波を示している。
【図５】図５は、本開示のある態様にしたがった、柔軟なデータおよび制御の多重化のために、ユーザ端末により実行してもよい例示的な動作を示している。
【図５Ａ】図５Ａは、図５において示している動作を実行することが可能な例示的なコンポーネントを示している。
【図６】図６は、本開示のある態様にしたがった、柔軟なデータおよび制御の多重化のために、アクセスポイントにより実行してもよい例示的な動作を示している。
【図６Ａ】図６Ａは、図６において示している動作を実行することが可能な例示的なコンポーネントを示している。
【詳細な説明】
【００１６】
図面を参照して、ここでさまざまな態様を説明する。以下の説明では、説明の目的のために、１つ以上の態様の完全な理解を提供するために、多数の特定の詳細を述べる。しかしながら、これらの特定の詳細なしに、このような態様を実施できることは明白であるかもしれない。
【００１７】
本出願において使用しているような、用語“コンポーネント”、“モジュール”、“システム”、および、これらに類するものは、コンピュータ関連エンティティを含むことを意図しており、コンピュータ関連エンティティは、ハードウェア、ファームウェア、ハードウェアとソフトウェアとを組み合わせたもの、ソフトウェア、または、実行中のソフトウェアのようなものであるが、これらに限定されない。例えば、コンポーネントは、プロセッサ上で実行しているプロセスや、プロセッサや、オブジェクトや、実行可能ファイルや、実行のスレッドや、プログラムや、および／または、コンピュータであってもよいが、これらに限定されない。例示として、コンピューティングデバイス上で実行しているアプリケーションとコンピューティングデバイスの双方とも、コンポーネントとすることができる。１つ以上のコンポーネントは、実行のプロセスおよび／またはスレッド内に存在することができ、コンポーネントは、１つのコンピュータ上で局所化されてもよく、および／または、２つ以上のコンピュータ間で分散されてもよい。加えて、これらのコンポーネントは、その上にさまざまなデータ構造を記憶させているさまざまなコンピュータ読取可能媒体から実行することができる。コンポーネントは、ローカルシステム中の、分散システム中の別のコンポーネントと対話する１つのコンポーネントからのデータ、および／または、インターネットのようなネットワークを通して信号により他のシステムと対話する１つのコンポーネントからのデータのような、１つ以上のデータパケットを有する信号にしたがうような、ローカルのプロセスおよび／または遠隔のプロセスにより通信してもよい。
【００１８】
さらに、端末に関連して、ここでさまざまな態様を説明する。端末は、ワイヤード端末またはワイヤレス端末とすることができる。端末は、システム、デバイス、加入者ユニット、加入者局、移動局、移動体、移動体デバイス、遠隔局、遠隔端末、アクセス端末、ユーザ端末、端末、通信デバイス、ユーザエージェント、ユーザデバイス、または、ユーザ機器（ＵＥ）と呼ぶこともできる。ワイヤレス端末は、セルラ電話機、衛星電話機、コードレス電話機、セッション開始プロトコル（ＳＩＰ）電話機、ワイヤレスローカルループ（ＷＬＬ）局、パーソナルデジタルアシスタント（ＰＤＡ）、ワイヤレス接続能力を有するハンドヘルドデバイス、コンピューティングデバイス、または、ワイヤレスモデムに接続されている他の処理デバイスであってもよい。さらに、基地局に関連して、ここでさまざまな態様を説明する。ワイヤレス端末と通信するために基地局を利用することができ、基地局は、アクセスポイント、ノードＢ、または、他の何らかの専門用語として呼ぶこともある。
【００１９】
さらに、用語“または”は、排他的な“または”というよりむしろ、包含的な“または”を意味することを意図している。すなわち、そうではないと明記されていない限り、または、文脈から明らかでない限り、“ＸがＡまたはＢを用いる”というフレーズは、自然な包含的順列のうちのいずれかを意味することを意図している。すなわち、“ＸがＡまたはＢを用いる”というフレーズは、以下の例のうちのいずれかのものによって満たされる：ＸがＡを用いる；ＸがＢを用いる；または、ＸがＡおよびＢの双方を用いる。加えて、本出願中および添付した特許請求の範囲中で使用しているような冠詞“ａ”および“ａｎ”は、そうではないと明記されていない限り、または、単数形に向けられている文脈から明らかでない限り、一般的に、“１つ以上”を意味すると解釈すべきである。
【００２０】
ここで説明する技術を、コード分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、単一搬送波ＦＤＭＡ（ＳＣ−ＦＤＭＡ）ネットワーク等のような、さまざまなワイヤレス通信ネットワークに対して使用してもよい。用語“ネットワーク”および“システム”は、区別なく使用することが多い。ＣＤＭＡネットワークは、ユニバーサル地上無線アクセス（ＵＴＲＡ）、ｃｄｍａ２０００等のような、無線技術を実現してもよい。ＵＴＲＡは、ワイドバンドＣＤＭＡ（Ｗ−ＣＤＭＡ）および低チップレート（ＬＣＲ）を含んでいる。ｃｄｍａ２０００は、ＩＳ−２０００、ＩＳ−９５、および、ＩＳ−８５６標準規格をカバーしている。ＴＤＭＡネットワークは、グローバルシステムフォーモバイルコミュニケーション（ＧＳＭ（登録商標））のような、無線技術を実現してもよい。
【００２１】
ＯＦＤＭＡネットワークは、エボルブドＵＴＲＡ（Ｅ−ＵＴＲＡ）、ＩＥＥＥ８０２．１１、ＩＥＥＥ８０２．１６、ＩＥＥＥ８０２．２０、フラッシュＯＦＤＭ（登録商標）等のような、無線技術を実現してもよい。ＵＴＲＡ、Ｅ−ＵＴＲＡ、および、ＧＳＭは、ユニバーサルモバイルテレコミュニケーションシステム（ＵＭＴＳ）の一部である。ロングタームエボリューション（ＬＴＥ）は、Ｅ−ＵＴＲＡを使用するＵＭＴＳの来たるべきリリースである。ＵＴＲＡ、Ｅ−ＵＴＲＡ、ＧＳＭ、ＵＭＴＳ、および、ＬＴＥは、“第３世代パートナーシッププロジェクト”（３ＧＰＰ）という名の組織による文書中に記述されている。ｃｄｍａ２０００は、“第３世代パートナーシッププロジェクト２”（３ＧＰＰ２）という名の組織による文書中に記述されている。これらのさまざまな無線技術および標準規格が、技術的に知られている。明確さのために、ＬＴＥについて、技術のある態様を下記で説明し、下記の説明の大半では、ＬＴＥの専門用語を使用する。
【００２２】
単一搬送波変調と周波数ドメイン等化とを利用する、単一搬送波周波数分割多元接続（ＳＣ−ＦＤＭＡ）は、技術である。ＳＣ−ＦＤＭＡは、ＯＦＤＭＡシステムのものと、類似する性能と、事実上同じ全体的な複雑さとを有している。ＳＣ−ＦＤＭＡ信号は、その固有の単一搬送波構造のために、より低いピーク対平均電力比（ＰＡＰＲ）を有している。ＳＣ−ＦＤＭＡは、送信電力効率性の観点から、より低いＰＡＰＲが移動体端末に非常に利益をもたらすアップリンク通信において特に、大きな関心を集めている。これは、現在、３ＧＰＰロングタームエボリューション（ＬＴＥ）またはエボルブドＵＴＲＡにおけるアップリンク多元接続スキームに対する作業仮説である。
【００２３】
図１を参照すると、１つの実施形態にしたがった、多元接続ワイヤレス通信システム１００が示されている。アクセスポイント１０２（ＡＰ）は、１つが１０４と１０６を含み、別のものが１０８と１１０を含み、さらに他のものが１１２と１１４を含む、複数のアンテナグループを含んでいる。図１では、各アンテナグループに対して２つのアンテナだけが示されているが、各アンテナグループに対して、より多いまたはより少ないアンテナを利用してもよい。アクセス端末１１６（ＡＴ）は、アンテナ１１２および１１４と通信しており、ここで、アンテナ１１２およびアンテナ１１４は、フォワードリンク１１８を通してアクセス端末１１６に情報を送信し、リバースリンク１２０を通してアクセス端末１１６から情報を受信する。アクセス端末１２２は、アンテナ１０４および１０６と通信しており、ここで、アンテナ１０４およびアンテナ１０６は、フォワードリンク１２４を通してアクセス端末１２２に情報を送信し、リバースリンク１２６を通してアクセス端末１２２から情報を受信する。ＦＤＤシステムでは、通信リンク１１８、１２０、１２４、および、１２６が、通信のために異なる周波数を使用してもよい。例えば、フォワードリンク１１８は、リバースリンク１２０により使用されているものとは異なる周波数を使用してもよい。
【００２４】
各アンテナのグループおよび／または各アンテナのグループが通信するように設計されているエリアを、アクセスポイントのセクターとして呼ぶことが多い。実施形態において、アンテナグループはそれぞれ、セクター中で、アクセスポイント１０２によりカバーされているエリアの、アクセス端末に通信するように設計されている。
【００２５】
フォワードリンク１１８と１２４とを通しての通信では、アクセスポイント１０２の送信アンテナは、異なるアクセス端末１１６と１２２とに対するフォワードリンクの信号対ノイズ比を改善するために、ビームフォーミングを利用する。また、そのカバレッジエリア中にランダムに散らばっているアクセス端末に送信するためにビームフォーミングを使用するアクセスポイントは、単一のアンテナを通して、そのすべてのアクセス端末に送信するアクセスポイントよりも、隣接するセル中のアクセス端末に対してより小さい干渉を生じさせる。
【００２６】
アクセスポイントは、端末との通信に対して使用される固定局であってもよく、アクセスポイント、ノードＢ、または、他の何らかの専門用語として呼ぶこともある。アクセス端末は、アクセス端末、ユーザ機器（ＵＥ）、ワイヤレス通信デバイス、端末、アクセス端末、または、他の何らかの専門用語と呼ぶこともある。
【００２７】
図２は、ＭＩＭＯシステム２００中の、（アクセスポイントとしても知られている）送信機システム２１０と、（アクセス端末としても知られている）受信機システム２５０との実施形態のブロックダイヤグラムである。送信機システム２１０において、多数のデータストリームに対するトラフィックデータが、データソース２１２から、送信（ＴＸ）データプロセッサ２１４に提供される。
【００２８】
実施形態において、各データストリームは、それぞれの送信アンテナを通して送信される。ＴＸデータプロセッサ２１４は、そのデータストリームに対して選択された特定のコーディングスキームに基づいて、各データストリームに対するトラフィックデータをフォーマットし、コード化し、および、インターリーブし、コード化されたデータを提供する。
【００２９】
各データストリームに対するコード化されたデータは、ＯＦＤＭ技術を使用して、パイロットデータと多重化することができる。パイロットデータは、典型的に、既知の方法で処理される既知のデータパターンであり、チャネル応答を推定するために、受信機システムにおいて使用することができる。その後、各データストリームに対する多重化されたパイロットおよびコード化データを、そのデータストリームに対して選択された特定の変調スキーム（例えば、ＢＰＳＫ、ＱＳＰＫ、Ｍ−ＰＳＫ、または、Ｍ−ＱＡＭ）に基づいて、変調（すなわち、シンボルマッピング）し、変調シンボルを提供する。各データストリームに対する、データレート、コーディング、および、変調は、プロセッサ２３０により実行される命令により決定することができる。
【００３０】
その後、すべてのデータストリームに対する変調シンボルは、ＴＸ ＭＩＭＯプロセッサ２２０に提供され、ＴＸ ＭＩＭＯプロセッサ２２０は、（例えば、ＯＦＤＭのために）変調シンボルをさらに処理してもよい。ＴＸ ＭＩＭＯプロセッサ２２０は、その後、ＮＴ個の変調シンボルストリームをＮＴ台の送信機（ＴＭＴＲ）２２２ａないし２２２ｔに提供する。ある態様では、ＴＸ ＭＩＭＯプロセッサ２２０は、データストリームのシンボルと、そこからシンボルが送信されるアンテナとに対して、ビームフォーミングの重みを適用する。
【００３１】
各送信機２２２は、それぞれのシンボルストリームを受け取って処理し、１つ以上のアナログ信号を提供し、アナログ信号をさらに調整して（例えば、増幅して、フィルタリングして、および、アップコンバートして）、ＭＩＭＯチャネルを通しての送信に適した変調された信号を提供する。送信機２２２ａないし２２２ｔからのＮＴ個の変調信号は、その後、ＮＴ本のアンテナ２２４ａないし２２４ｔから、それぞれ送信される。
【００３２】
受信機システム２５０において、ＮＲ本のアンテナ２５２ａないし２５２ｒにより、送信変調信号を受信し、各アンテナ２５２から受信した信号は、それぞれの受信機（ＲＣＶＲ）２５４ａないし２５４ｒに提供される。各受信機２５４は、それぞれの受信信号を調整し（例えば、フィルタリングし、増幅し、および、ダウンコンバートし）、調整した信号をデジタル化して、サンプルを提供し、さらに、サンプルを処理して、対応する“受信した”シンボルストリームを提供する。
【００３３】
その後、ＲＸデータプロセッサ２６０は、特定の受信機処理技術に基づいて、ＮR台の受信機２５４からＮR個の受信したシンボルストリームを受け取って処理し、ＮT個の“検出した”シンボルストリームを提供する。ＲＸデータプロセッサ２６０は、その後、各検出したシンボルストリームを復調し、デインターリーブし、および、デコードし、データストリームに対するトラフィックデータを復元する。ＲＸデータプロセッサ２６０による処理は、送信機システム２１０における、ＴＸ ＭＩＭＯプロセッサ２２０とＴＸデータプロセッサ２１４とにより実行される処理と相補的である。
【００３４】
プロセッサ２７０は、どのプリコーディング行列を使用するかを周期的に決定する（下記で論じる）。プロセッサ２７０は、行列インデックス部分とランク値部分とを含むリバースリンクメッセージを構築する。
【００３５】
リバースリンクメッセージは、通信リンクにおよび／または受信したデータストリームに関する、さまざまなタイプの情報を含むことができる。リバースリンクメッセージは、その後、データソース２３６から多数のデータストリームに対するトラフィックデータも受け取るＴＸデータプロセッサ２３８により処理され、変調器２８０により変調され、送信機２５４ａないし２５４ｒにより調整され、送信機システム２１０に返信される。
【００３６】
送信機システム２１０において、受信機システム２５０からの変調信号は、受信機システム２５０により送信されたリバースリンクメッセージを抽出するために、アンテナ２２４により受信され、受信機２２２により調整され、復調器２４０により復調され、ＲＸデータプロセッサ２４２により処理される。その後、プロセッサ２３０は、ビームフォーミングの重みを決定するために、どのプリコーディング行列を使用するかを決定し、そして、抽出したメッセージを処理する。
【００３７】
図３は、そこにおいて、さまざまな開示する実施形態および態様を実現でき、多数のユーザをサポートするように構成されている例示的なワイヤレス通信システム３００を示している。図３において示しているように、例として、システム３００は、例えば、マクロセル３０２ａ〜３０２ｇのような、複数のセル３０２に対する通信を提供し、それぞれのセルは、（ＡＰ３０４ａ〜３０４ｇのような）対応するアクセスポイント（ＡＰ）３０４によりサービスされている。（例えば、１つ以上の周波数を担当するために、）各セルはさらに、１つ以上のセクターに分割することができる。ユーザ機器（ＵＥ）または移動局としても区別なく知られている、ＡＴ３０６ａ〜３０６ｋを含む、さまざまなアクセス端末（ＡＴ）３０６は、システム全体を通して分散している。例えば、ＵＥがアクティブであるか否か、および、ＵＥがソフトハンドオフ中であるか否かに依存して、各ＵＥ３０６は、所定の瞬間において、フォワードリンク（ＦＬ）上および／またはリバースリンク（ＲＬ）上で、１つ以上のＡＰ３０４と通信してもよい。ワイヤレス通信システム３００は、大きな地理的領域にわたって、サービスを提供してもよい。例えば、マクロセル３０２ａ〜３０２ｇは、近隣中の数ブロックをカバーしてもよい。
【００３８】
柔軟なデータおよび制御の多重化
本開示のある態様は、ワイヤレス通信システムにおいて、制御およびデータの送信の多重化と、制御およびデータの送信のデカップリングとの双方をサポートするための方法を提案している。
【００３９】
ＬＴＥのような標準規格に準拠して動作するワイヤレス通信システム３００において、複数の送信スキームを利用してもよい。例えば、送信スキームは、複数入力複数出力（ＭＩＭＯ）構成と非ＭＩＭＯ構成とに対しては、単一搬送波周波数分割多元接続（ＳＣ−ＦＤＭＡ）に基づいていてもよい。しかしながら、制御およびデータのデカップリングをサポートするための特定のケースでは、アップリンク波形の単一搬送波特性は緩和される。制御およびデータのデカップリングは、物理アップリンク制御チャネル（ＰＵＣＣＨ）と物理アップリンク共有チャネル（ＰＵＳＣＨ）とにおける同時送信のことを指すこともある。
【００４０】
ＬＴＥ標準規格のリリース８中で指定されているようなデータおよび制御の多重化が、単一搬送波特性を維持し、低いピーク対平均電力比（ＰＡＰＲ）を保つ一方で、制御−データのデカップリングは、データおよび制御の特別な取り扱いを必要としない。それゆえ、送信機および受信機の双方の複雑さを、著しく減少させることができる。一方で、ＰＵＳＣＨチャネル中での同時データ送信があるときには、制御リソースはより効率的に利用されるかもしれない。
【００４１】
本開示のある態様に対しては、準静的なアプローチを使用して、ユーザに多重化モード（例えば、データ信号および制御信号のデカップリング、あるいは、データ信号および制御信号の多重化）を通知してもよい。それゆえ、各ＵＥの上位レイヤ構成により、（例えば、ＬＴＥ標準規格のリリース８中に存在する制御−データの多重化に類似した）制御−データの多重化か、または、制御−データのデカップリングのいずれかを使用してもよい。例えば、低いジオメトリのユーザ（例えば、不良のチャネルを経験しているユーザ）は、リリース８の制御−データの多重化を使用するように構成されているかもしれず、高いジオメトリで、非レガシーのユーザ（例えば、良好なチャネルを経験しているユーザ）は、制御およびデータを同時に送信する（例えば、制御−データのデカップリングを使用する）ように構成されているかもしれない。
【００４２】
静的な技術の１つの利点は、ＵＥの観点からすると、この技術はトランスペアレントであるということである。加えて、ダウンリンク制御情報（ＤＣＩ）メッセージのフォーマットを変更する必要がないかもしれない。上記の技術の１つの不利点は、モードの変更には、上位レイヤの再構成が必要であるという事実であるかもしれない。典型的に、モードの変更は、トランスポート時間間隔（ＴＴＩ）ごとに起こらない。それゆえ、モード変更は、それほど急速に起こらないかもしれない。静的な技術は、送信モードの頻繁な変更を必要としないアプリケーションに対しては、依然として有用であることがあることに留意すべきである。
【００４３】
本開示のある態様に対しては、動的なアプローチを使用して、ＵＥに多重化モードを通知してもよい。このスキームでは、制御−データの多重化または制御−データのデカップリングを使用しているか否かをユーザに示すために、１つ以上のビットがＤＣＩメッセージに加えられる。
【００４４】
動的な技術の１つの利点は、各ＴＴＩに対してさえ、多重化動作モードを非常に急速に変更できることである。動的な技術の不利点は、この技術が、ＤＣＩメッセージのフォーマットまたは解釈の変更を必要とするという事実であるかもしれない。これは、現在の標準規格の変更を必要とするかもしれない。
【００４５】
データおよび制御の多重化が使用されるときに、データおよび制御に対して使用されるコンポーネント搬送波の組が異なっていてもよいことに留意すべきである。例えば、ＰＵＳＣＨに対して使用されるコンポーネント搬送波の組は、Ｃｓによって表してもよく、制御に対して使用されるコンポーネント搬送波の組は、Ｃｃとして表してもよい。ある態様に対して、ＣｃがＣｓの部分集合である（Ｃｃ⊆Ｃｓ）場合には、（多重化またはデカップリングのいずれかの）多重化モードを示すために、上位レイヤ構成またはＤＣＩメッセージ中で１ビットのみの表示を使用してもよい。
【００４６】
ＣｃがＣｓの部分集合でない
【数１】
0005726767.tif 000002
【００４７】
場合には、少数のオプションが生じることがある。ある態様に対して、多重化は、制御およびデータの双方を持つコンポーネント搬送波に対してのみ適用可能であるかもしれない。コンポーネント搬送波がデータまたは制御のみを有している場合には、対応する搬送波を使用して、データまたは制御を送信してもよい。
【００４８】
図４は、本開示のある態様にしたがった、データおよび制御の送信のための、コンポーネント搬送波の例示的な組４００を示している。
【００４９】
示しているように、コンポーネント搬送波２ ４０４中の制御およびデータは、シグナリングを通して、多重化されるか、または、デカップリングされるかのいずれかであってもよい一方で、コンポーネント搬送波１ ４０２およびコンポーネント搬送波３ ４０６は、常に制御情報を送信する。
【００５０】
ある態様に対して、ＣｃがＣｓの部分集合でない
【数２】
0005726767.tif 000003
【００５１】
場合には、多重化は、何らかのコンポーネント搬送波に対して適用可能であるかもしれない。このケースでは、データ送信を持つ１つのコンポーネント搬送波がある場合に、すべての制御情報を、そのコンポーネント搬送波中に多重化してもよい。例えば、図４中の例では、コンポーネント搬送波１、コンポーネント搬送波２、および、コンポーネント搬送波３中の制御情報をすべて、コンポーネント搬送波２ ４０４中に多重化してもよい。
【００５２】
多重化が、複数のコンポーネント搬送波に対して適用可能である場合には、準静的なシグナリングまたは動的なシグナリングのいずれかを使用して、どのように多重化するかを示すことができる。しかし、このことは、非常に複雑であることがあり、何ら利益をもたらさないかもしれない。一方で、簡略化のために、Ｃｃが常にＣｓの部分集合であるはずである標準規格仕様中においては、これを実施してもよい。
【００５３】
ある態様に対しては、データ情報および制御情報を多重化する場合に、制御信号の送信に対して使用するリソースエレメント（ＲＥ）の数を、異なる方法で決定してもよい。例えば、ＬＴＥリリース８の構成を使用してもよい。それゆえ、各制御チャネルに対して、関係するＲＥの数を決定してもよく、関係するＲＥの総数は、それぞれの個々の制御チャネルに対するＲＥの合計であってもよい。
【００５４】
ある態様に対しては、データチャネル中に多重化される制御チャネルの数の関数として、制御チャネルに対してＲＥ構成を再定義してもよい。
【００５５】
図５は、本開示のある態様にしたがった、柔軟なデータおよび制御の多重化のために、ユーザ端末により実行してもよい例示的な動作を示している。５０２において、ＵＥが信号を受信する。アクセスポイントから、または、無線リソース制御（ＲＲＣ）レイヤすなわちＬ３（レイヤ３）レイヤのような、上位レイヤから、信号を受信してもよい。５０４において、ＵＥは、受信した信号に基づいて、多重化モードを決定する。例えば、多重化モードは、データ信号および制御信号の同時送信（データおよび制御のデカップリング）か、または、異なる時間スロットでのデータおよび制御の多重化を必要とすることがある。ある態様に対しては、データ信号および制御信号は、共通の離散フーリエ変換（ＤＦＴ）で拡散されないかもしれない。
【００５６】
５０６において、ＵＥは、受信した信号に基づいて、データの送信に対して使用することになる第１の組の搬送波を識別する。第１の組の搬送波は、１つ以上の搬送波を含んでいてもよい。５０８において、ＵＥは、受信した信号に基づいて、制御信号の送信に対して使用することになる第２の組の搬送波を識別する。第２の組の搬送波は、１つ以上の搬送波を含んでいてもよい。５１０において、ＵＥは、多重化モードに基づいて、識別した第１の組の搬送波上および識別した第２の組の搬送波上で、１つ以上のデータ信号と１つ以上の制御信号とを送信する。
【００５７】
図６は、本開示のある態様にしたがった、柔軟なデータおよび制御の多重化のために、アクセスポイントにより実行してもよい例示的な動作を示している。６０２において、アクセスポイントは、ＵＥによる制御またはデータの送信に対して使用する、多重化モードとリソースエレメントの数とを決定する。６０４において、アクセスポイントは、少なくとも多重化モードを示す信号をＵＥに対して送信する。６０６において、アクセスポイントは、多重化モードを利用して、ユーザから、制御信号およびデータ信号を受信する。
【００５８】
本開示のある態様は、ワイヤレス通信システムにおいて、制御−データの多重化と、制御−データのデカップリングとの双方をサポートするための複数のメカニズムを提案した。
【００５９】
上記で説明した方法のさまざまな動作を、図で示しているミーンズプラスファンクションのブロックに対応する、さまざまなハードウェアならびに／あるいはソフトウェアのコンポーネントおよび／またはモジュールにより実行してもよい。例えば、図５中で示しているブロック５０２〜５１０は、図５Ａ中で示しているミーンズプラスファンクションブロック５０２Ａ〜５１０Ａに対応している。加えて、図６中で示しているブロック６０２〜６０６は、図６Ａ中で示しているミーンズプラスファンクションブロック６０２Ａ〜６０６Ａに対応している。さらに一般的に、対応する相当のミーンズプラスファンクション図を有している図中で示している方法がある場合に、動作ブロックは、類似するナンバリングを持つミーンズプラスファンクションブロックに対応している。
【００６０】
本開示に関連して説明した、さまざまな例示的な論理的ブロック、モジュール、および、回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）、または、他のプログラマブル論理デバイス、ディスクリートゲートまたはトランジスタ論理、ディスクリートハードウェアコンポーネント、あるいは、ここで説明した機能を実行するために設計されたこれらの組み合わせで、実現してもよく、あるいは、実行してもよい。汎用プロセッサはマイクロプロセッサであってもよいが、代替実施形態では、プロセッサは、何らかの商業的に入手可能なプロセッサ、制御装置、マイクロ制御装置、または、状態機械であってもよい。プロセッサはまた、コンピューティングデバイスの組み合わせとして、例えば、ＤＳＰとマイクロプロセッサの組み合わせ、複数のマイクロプロセッサ、ＤＳＰコアを備えた１つ以上のマイクロプロセッサ、あるいは、このような構成の他の何らかのものとして実現してもよい。
【００６１】
本開示に関連して説明した方法またはアルゴリズムのステップは、直接、ハードウェアで、プロセッサにより実行されるソフトウェアモジュールで、あるいは、２つの組み合わせで、具現化してもよい。ソフトウェアモジュールは、技術的に知られている何らかの形態の記憶媒体中に存在していてもよい。使用することができる記憶媒体のいくつかの例は、ランダムアクセスメモリ（ＲＡＭ）、リードオンリーメモリ（ＲＯＭ）、フラッシュメモリ、ＥＰＲＯＭメモリ、ＥＥＰＲＯＭメモリ、レジスタ、ハードディスク、リムーブバルディスク、ＣＤ−ＲＯＭ等を含んでいる。ソフトウェアモジュールは、単一の命令または多くの命令を含んでいてもよく、いくつかの異なるコードセグメントを通して、異なるプログラム間で、および、複数の記憶媒体にわたって、配布されてもよい。記憶媒体は、プロセッサが記憶媒体から情報を読み取り、記憶媒体に情報を書き込むことができるようにプロセッサに結合されていてもよい。代替実施形態では、記憶媒体はプロセッサと一体化されていてもよい。
【００６２】
ここで開示した方法は、説明した方法を達成するための１つ以上のステップまたはアクションを含んでいる。方法ステップおよび／またはアクションは、特許請求の範囲から逸脱することなく、相互に入れ替えることができる。言い換えると、ステップまたはアクションの特定の順序が明記されていない限り、特許請求の範囲から逸脱することなく、特定のステップならびに／あるいはアクションの順序および／または使用を改良することができる。
【００６３】
説明した機能は、ハードウェアで、ソフトウェアで、ファームウェアで、または、これらの何らかの組み合わせで実現してもよい。ソフトウェアで実現した場合、機能は、１つ以上の命令として、コンピュータ読取可能媒体上に記憶されてもよい。記憶媒体は、コンピュータによりアクセスすることができる何らかの利用可能な媒体であってもよい。例として、これらに限定されないが、このようなコンピュータ読取可能媒体は、ＲＡＭ、ＲＯＭ、ＥＥＰＲＯＭ、ＣＤ−ＲＯＭ、または、他の光ディスク記憶装置、磁気ディスク記憶装置または他の磁気記憶デバイス、あるいは、コンピュータによりアクセスでき、命令またはデータ構造の形態で所望のプログラムコードを運ぶまたは記憶するために使用できる他の何らかの媒体を含むことができる。ここで使用するようなディスク（ｄｉｓｋおよびｄｉｓｃ）は、コンパクトディスク（ＣＤ）、レーザディスク（登録商標）、光ディスク、デジタル多用途ディスク（ＤＶＤ）、フロッピー（登録商標）ディスク、および、ブルーレイ（登録商標）ディスクを含んでいる。ここで、ディスク（ｄｉｓｋ）が通常、データを磁気的に再生する一方で、ディスク（ｄｉｓｃ）はデータをレーザによって光学的に再生する。
【００６４】
ソフトウェアまたは命令は、送信媒体を通しても送信されてもよい。例えば、同軸ケーブル、光ファイバケーブル、撚り対、デジタル加入者線（ＤＳＬ）、あるいは、赤外線、無線、および、マイクロ波のようなワイヤレス技術を使用しているウェブサイト、サーバ、または、他の遠隔ソースから、ソフトウェアが送信される場合には、同軸ケーブル、光ファイバケーブル、撚り対、ＤＳＬ、あるいは、赤外線、無線、および、マイクロ波のようなワイヤレス技術は、送信媒体の定義に含まれる。
【００６５】
さらに、ここで説明した方法および技術を実行するためのモジュールおよび／または他の適切な手段が、適用可能なものとして、ユーザ端末および／または基地局によりダウンロードできるか、および／または、そうでなければ、ユーザ端末および／または基地局により取得できることを正しく認識すべきである。例えば、ここで説明した方法を実行するための手段の移送を容易にするために、このようなデバイスをサーバに結合することができる。代替的には、記憶装置手段（例えば、ＲＡＭ、ＲＯＭ、コンパクトディスク（ＣＤ）またはフロッピーディスクのような物理的な記憶媒体等）を介して、ここで説明したさまざまな方法を提供できる。これにより、記憶装置手段をデバイスに結合すると、または、記憶装置手段をデバイスに提供すると、ユーザ端末および／または基地局が、さまざまな方法を取得できる。さらに、ここで説明した方法および技術をデバイスに提供するための他の何らかの適切な技術を利用できる。
【００６６】
特許請求の範囲は、上記で示したまさにその構成およびコンポーネントに限定されるものではないことを理解すべきである。さまざまな改良、変更、および、バリエーションが、上記で説明した方法および装置の構成、運用、および、詳細において、特許請求の範囲から逸脱することなく行われてもよい。
【００６７】
先述のものは、本開示の実施形態に向けられているが、本開示の基本的な範囲から逸脱することなく、本開示の他の実施形態および本開示のさらなる実施形態を考案することができ、本開示の範囲は、以下に続く特許請求の範囲により決定される。
以下に、本願出願の当初の特許請求の範囲に記載された発明を付記する。
［１］ワイヤレス通信のための方法において、
信号を受信することと、
前記受信した信号に基づいて、多重化モードを決定することと、
前記受信した信号に基づいて、データの送信に対して使用することになる、１つ以上の搬送波を含む第１の組の搬送波を識別することと、
前記受信した信号に基づいて、制御信号の送信に対して使用することになる、１つ以上の搬送波を含む第２の組の搬送波を識別することと、
前記多重化モードに基づいて、前記識別した第１の組の搬送波上と前記識別した第２の組の搬送波上で、１つ以上のデータ信号と１つ以上の制御信号とを送信することとを含む方法。
［２］前記受信した信号に基づいて、前記制御信号の送信に対して使用する１つ以上のリソースエレメントを識別することと、
前記識別したリソースエレメント上で、前記制御信号を送信することとをさらに含む［１］に記載の方法。
［３］前記信号は、ダウンリンク制御情報（ＤＣＩ）メッセージを含む［１］に記載の方法。
［４］無線リソース制御（ＲＲＣ）レイヤから、前記信号を受信する［１］に記載の方法。
［５］前記多重化モードは、前記データ信号および前記制御信号の同時送信を含む［１］に記載の方法。
［６］前記データ信号および前記制御信号は、共通の離散フーリエ変換（ＤＦＴ）拡散で拡散されない［５］に記載の方法。
［７］前記第２の組の搬送波は、前記第１の組の搬送波の部分集合である［１］に記載の方法。
［８］前記第１の組の搬送波は、単一の搬送波を含む［１］に記載の方法。
［９］前記制御信号を前記データ信号中に多重化し、前記第１の組の搬送波中の搬送波上で送信する［８］に記載の方法。
［１０］前記第１の組の搬送波の部分集合は、前記第２の組の搬送波の部分集合に類似している［１］に記載の方法。
［１１］ワイヤレス通信のための方法において、
ユーザ機器（ＵＥ）によるデータまたは制御の送信に対して使用する、多重化モードとリソースエレメントの数とを決定することと、
少なくとも前記多重化モードを示す信号を前記ＵＥに対して送信することと、
前記多重化モードを利用して、前記ＵＥから、１つ以上の制御信号と１つ以上のデータ信号とを受信することとを含む方法。
［１２］前記信号は、ダウンリンク制御情報メッセージを含む［１１］に記載の方法。
［１３］前記多重化モードは、前記データ信号および前記制御信号の同時送信を含む［１１］に記載の方法。
［１４］ワイヤレス通信のための装置において、
信号を受信する論理と、
前記受信した信号に基づいて、多重化モードを決定する論理と、
前記受信した信号に基づいて、データの送信に対して使用することになる、１つ以上の搬送波を含む第１の組の搬送波を識別する論理と、
前記受信した信号に基づいて、制御信号の送信に対して使用することになる、１つ以上の搬送波を含む第２の組の搬送波を識別する論理と、
前記多重化モードに基づいて、前記識別した第１の組の搬送波上と前記識別した第２の組の搬送波上で、１つ以上のデータ信号と１つ以上の制御信号とを送信する論理とを具備する装置。
［１５］前記受信した信号に基づいて、前記制御信号の送信に対して使用する１つ以上のリソースエレメントを識別する論理と、
前記識別したリソースエレメント上で、前記制御信号を送信する論理とをさらに具備する［１４］に記載の装置。
［１６］前記信号は、ダウンリンク制御情報（ＤＣＩ）メッセージを含む［１４］に記載の装置。
［１７］無線リソース制御（ＲＲＣ）レイヤから、前記信号を受信する［１４］に記載の装置。
［１８］前記多重化モードは、前記データ信号および前記制御信号の同時送信を含む［１４］に記載の装置。
［１９］前記データ信号および前記制御信号は、共通の離散フーリエ変換（ＤＦＴ）拡散で拡散されない［１８］に記載の装置。
［２０］前記第２の組の搬送波は、前記第１の組の搬送波の部分集合である［１４］に記載の装置。
［２１］前記第１の組の搬送波は、単一の搬送波を含む［１４］に記載の装置。
［２２］前記制御信号を前記データ信号中に多重化し、前記第１の組の搬送波中の搬送波上で送信する［２１］に記載の装置。
［２３］前記第１の組の搬送波の部分集合は、前記第２の組の搬送波の部分集合に類似している［１４］に記載の装置。
［２４］ワイヤレス通信のための装置において、
ユーザ機器（ＵＥ）によるデータまたは制御の送信に対して使用する、多重化モードとリソースエレメントの数とを決定する論理と、
少なくとも前記多重化モードを示す信号を前記ＵＥに対して送信する論理と、
前記多重化モードを利用して、前記ＵＥから、１つ以上の制御信号と１つ以上のデータ信号とを受信する論理とを具備する装置。
［２５］前記信号は、ダウンリンク制御情報メッセージを含む［２４］に記載の装置。
［２６］前記多重化モードは、前記データ信号および前記制御信号の同時送信を含む［２４］に記載の装置。
［２７］ワイヤレス通信のための装置において、
信号を受信する手段と、
前記受信した信号に基づいて、多重化モードを決定する手段と、
前記受信した信号に基づいて、データの送信に対して使用することになる、１つ以上の搬送波を含む第１の組の搬送波を識別する手段と、
前記受信した信号に基づいて、制御信号の送信に対して使用することになる、１つ以上の搬送波を含む第２の組の搬送波を識別する手段と、
前記多重化モードに基づいて、前記識別した第１の組の搬送波上と前記識別した第２の組の搬送波上で、１つ以上のデータ信号と１つ以上の制御信号とを送信する手段とを具備する装置。
［２８］ワイヤレス通信のための装置において、
ユーザ機器（ＵＥ）によるデータまたは制御の送信に対して使用する、多重化モードとリソースエレメントの数とを決定する手段と、
少なくとも前記多重化モードを示す信号を前記ＵＥに対して送信する手段と、
前記多重化モードを利用して、前記ＵＥから、１つ以上の制御信号と１つ以上のデータ信号とを受信する手段とを具備する装置。
［２９］その上に命令を記憶させているコンピュータ読取可能媒体を具備する、ワイヤレス通信のためのコンピュータプログラムプロダクトにおいて、
前記命令は、１つ以上のプロセッサにより実行可能であり、
前記命令は、
信号を受信するための命令と、
前記受信した信号に基づいて、多重化モードを決定するための命令と、
前記受信した信号に基づいて、データの送信に対して使用することになる、１つ以上の搬送波を含む第１の組の搬送波を識別するための命令と、
前記受信した信号に基づいて、制御信号の送信に対して使用することになる、１つ以上の搬送波を含む第２の組の搬送波を識別するための命令と、
前記多重化モードに基づいて、前記識別した第１の組の搬送波上と前記識別した第２の組の搬送波上で、１つ以上のデータ信号と１つ以上の制御信号とを送信するための命令とを含むコンピュータプログラムプロダクト。
［３０］その上に命令を記憶させているコンピュータ読取可能媒体を具備する、ワイヤレス通信のためのコンピュータプログラムプロダクトにおいて、
前記命令は、１つ以上のプロセッサにより実行可能であり、
前記命令は、
ユーザ機器（ＵＥ）によるデータまたは制御の送信に対して使用する、多重化モードとリソースエレメントの数とを決定するための命令と、
少なくとも前記多重化モードを示す信号を前記ＵＥに対して送信するための命令と、
前記多重化モードを利用して、前記ＵＥから、１つ以上の制御信号と１つ以上のデータ信号とを受信するための命令とを含むコンピュータプログラムプロダクト。
［３１］ワイヤレス通信のための装置において、
信号を受信するようにと、
前記受信した信号に基づいて、多重化モードを決定するようにと、
前記受信した信号に基づいて、データの送信に対して使用することになる、１つ以上の搬送波を含む第１の組の搬送波を識別するようにと、
前記受信した信号に基づいて、制御信号の送信に対して使用することになる、１つ以上の搬送波を含む第２の組の搬送波を識別するようにと、
前記多重化モードに基づいて、前記識別した第１の組の搬送波上と前記識別した第２の組の搬送波上で、１つ以上のデータ信号と１つ以上の制御信号とを送信するように構成されている少なくとも１つのプロセッサを具備する装置。
［３２］ワイヤレス通信のための装置において、
ユーザ機器（ＵＥ）によるデータまたは制御の送信に対して使用する、多重化モードとリソースエレメントの数とを決定するようにと、
少なくとも前記多重化モードを示す信号を前記ＵＥに対して送信するようにと、
前記多重化モードを利用して、前記ＵＥから、１つ以上の制御信号と１つ以上のデータ信号とを受信するように構成されている少なくとも１つのプロセッサを具備する装置。
【図１】
0005726767.tif 000004
【図２】
0005726767.tif 000005
【図３】
0005726767.tif 000006
【図４】
0005726767.tif 000007
【図５】
0005726767.tif 000008
【図５Ａ】
0005726767.tif 000009
【図６】
0005726767.tif 000010
【図６Ａ】
0005726767.tif 000011